(57)【要約】【課題】商品性を高めることが可能なＨＵＤ装置を提供する。【解決手段】ＨＵＤ装置１２は、ハウジング１８と、ハウジング１８内部に設けられ、画像を含む光としての画像光２０２を出射する画像光出射部４８と、ハウジング１８内部に設けられ、画像光２０２を反射することで画像光２０２をハウジング１８外部におけるユーザ１５０の前方視野内に虚像３００として表示させる鏡２８とを備える。ハウジング１８内部では、画像光２０２の光路２００上に透光層５０を設け、透光層５０は、中央に向かうほど光透過率が高く構成される。【選択図】図１
2014174416.tif 000002
【特許請求の範囲】
【請求項１】
ハウジングと、
前記ハウジング内部に設けられ、画像を含む光としての画像光を出射する画像光出射部と、
前記ハウジング内部に設けられ、前記画像光を反射することで前記画像光を前記ハウジング外部におけるユーザの前方視野内に虚像として表示させる鏡と
を備えるヘッドアップディスプレイ装置であって、
前記ハウジング内部において前記画像光の光路上に透光層を設け、
前記透光層は、中央に向かうほど光透過率が高く構成される
ことを特徴とするヘッドアップディスプレイ装置。
【請求項２】
請求項１記載のヘッドアップディスプレイ装置において、
前記鏡は、前記光路に対して回動可能な凹面鏡であり、
前記透光層は、前記凹面鏡よりも前記画像光出射部側に設けられる
ことを特徴とするヘッドアップディスプレイ装置。
【請求項３】
請求項１又は２記載のヘッドアップディスプレイ装置において、
前記透光層は、前記画像光出射部における前記画像光の出口又は前記画像光出射部の内部に設けられる
ことを特徴とするヘッドアップディスプレイ装置。
【請求項４】
請求項１〜３のいずれか１項に記載のヘッドアップディスプレイ装置において、
前記透光層は、前記鏡に設けられる
ことを特徴とするヘッドアップディスプレイ装置。
【請求項５】
請求項１〜４のいずれか１項に記載のヘッドアップディスプレイ装置において、
前記画像光が出射する前記ハウジングの出口に透光カバーを備え、
前記透光層は、前記透光カバーに形成された印刷層を含む
ことを特徴とするヘッドアップディスプレイ装置。
【請求項６】
虚像として用いられる画像を含む光である画像光を出力する画像光出力部と、
前記画像光をユーザに向かう方向に反射させて前記ユーザの前方に前記虚像を表示させる光透過性反射部材と、
前記画像光出力部と前記光透過性反射部材とを結ぶ光路上に設けられ、前記画像光を透過させる光透過部材と
を備えるヘッドアップディスプレイ装置であって、
前記光透過部材は、前記画像光のうち前記虚像の外縁領域に対応する部分を減衰させる光減衰部を有し、
前記光減衰部は、前記虚像の外縁に向かうに連れて光透過率が段階的に低下する
ことを特徴とするヘッドアップディスプレイ装置。
【発明の詳細な説明】
【技術分野】
【０００１】
本発明は、ヘッドアップディスプレイ装置に関する。
【背景技術】
【０００２】
特許文献１は、非常にコントラストの高い表示視認性を得ることができ、さらに、表示品質を向上させることができる車両用ヘッドアップディスプレイを提供することを目的としている（要約、［０００４］）。この目的を達成するため、特許文献１では、フロントウインドシールド７の周縁を覆うマスキング部２ａを拡大して、フロントウインドシールド７におけるヘッドアップディスプレイの表示の反射部分を兼ねるマスキング拡大部２を設ける（要約）。また、マスキング拡大部２の位置におけるインストパネル３の上面を下方に凹ませた凹部３ａを設けて、マスキング拡大部２をさらに拡大し、マスキング拡大部２におけるヘッドアップディスプレイの表示範囲外に（すなわち、虚像表示２０とは別に）、表示の中で背景となる部分と一体となった意匠を形成する縦縞模様部２１を設ける（要約）。
【０００３】
マスキング拡大部２（縦縞模様部２１を含む。）は、例えば、黒いセラミック塗装部分として構成される（［００１２］）。これにより、反射された虚像による表示の背景が周辺の景色に関わらず常に黒となるため、周辺環境に左右されることなく、非常にコントラストの高い表示視認性を得ることができるとされている（［００１７］）。また、背景が黒い部分に反射表示させるため、略透明部に反射表示させるタイプに比べ、表示部１２の輝度が低くても視認性のよい表示を得ることができるとされている（［００１７］）。
【０００４】
さらに、特許文献１では、縦縞模様部２１（図４）が存在することにより、表示の際、背景となる部分のぼんやり発光するエリアを、目立たず、違和感のない表示にすることが企図されている（［００２０］）。
【先行技術文献】
【特許文献】
【０００５】
【特許文献１】特開２００８−１９５１２３号公報
【発明の概要】
【発明が解決しようとする課題】
【０００６】
上記のように、縦縞模様部２１を含むマスキング拡大部２は、例えば、黒いセラミック塗装部分等として構成される（［００１２］）。黒いセラミックによる塗装による縦縞模様部２１は、虚像表示２０がなされている場合となされていない場合のいずれにおいてもユーザに視認されることとなる。虚像表示２０がなされていないにもかかわらず、ユーザに縦縞模様部２１が見えるとすると、見栄えが悪くなり、商品性に影響することが懸念される。
【０００７】
本発明は上記のような課題を考慮してなされたものであり、商品性を高めることが可能なヘッドアップディスプレイ装置を提供することを目的とする。
【課題を解決するための手段】
【０００８】
本発明に係るヘッドアップディスプレイ装置は、ハウジングと、前記ハウジング内部に設けられ、画像を含む光としての画像光を出射する画像光出射部と、前記ハウジング内部に設けられ、前記画像光を反射することで前記画像光を前記ハウジング外部におけるユーザの前方視野内に虚像として表示させる鏡とを備えるものであって、前記ハウジング内部において前記画像光の光路上に透光層を設け、前記透光層は、中央に向かうほど光透過率が高く構成されることを特徴とする。
【０００９】
本発明によれば、中央に向かうほど光透過率が高く構成される透光層を、画像光の光路上に設ける。このため、虚像の輪郭又は外縁領域をぼやけさせる又は不明瞭にすることが可能となる。また、透光層はハウジング内部に設けられる。このため、虚像を表示しない場合、虚像の周辺に特許文献１のような模様を残すことがなくなり、見栄えを良くし、商品性を高めることが可能となる。
【００１０】
前記鏡を、前記光路に対して回動可能な凹面鏡とし、前記凹面鏡よりも前記画像光出射部側に前記透光層を設けてもよい。これにより、凹面鏡が回動して虚像の表示位置が動いたとしても、画像光と透光層との位置関係を維持することが可能となる。従って、凹面鏡を回動させても、虚像におけるグラデーション又は明度の分布を保つことができる。
【００１１】
前記透光層は、前記画像光出射部における前記画像光の出口又は前記画像光出射部の内部に設けてもよい。これにより、透光層の配置の自由度を増すことが可能となる。加えて、透光層の位置が光源から比較的近くなるため、画像光（虚像）と透光層の位置関係の調整が容易となる。さらに、複数のヘッドアップディスプレイ装置を製造するに際し、画像光と透光層の位置関係のばらつきを少なくすることが可能となる。
【００１２】
前記透光層は、前記鏡に設けてもよい。これにより、透光層の配置の自由度を増すことが可能となる、加えて、光路上の鏡（例えば、上記凹面鏡）が変位可能である場合、透光カバーのみに透光層を形成する構成と比較して、虚像と透光層のずれを軽減することが可能となる。
【００１３】
前記ヘッドアップディスプレイ装置は、前記画像光が出射する前記ハウジングの出口に透光カバーを備え、前記透光層は、前記透光カバーに形成された印刷層を含むものであってもよい。これにより、透光層の配置の自由度を増すことが可能となる。加えて、光透過率の調整を簡易に行うことが可能となる。
【００１４】
本発明に係るヘッドアップディスプレイ装置は、虚像として用いられる画像を含む光である画像光を出力する画像光出力部と、前記画像光をユーザに向かう方向に反射させて前記ユーザの前方に前記虚像を表示させる光透過性反射部材と、前記画像光出力部と前記光透過性反射部材とを結ぶ光路上に設けられ、前記画像光を透過させる光透過部材とを備えるものであって、前記光透過部材は、前記画像光のうち前記虚像の外縁領域に対応する部分を減衰させる光減衰部を有し、前記光減衰部は、前記虚像の外縁に向かうに連れて光透過率が段階的に低下することを特徴とする。
【００１５】
本発明によれば、虚像の外縁に向かうに連れて光透過率が段階的に低下する光減衰部を有する。このため、虚像の輪郭又は外縁領域をぼやけさせる又は不明瞭にすることが可能となる。また、光透過部材は、画像光出力部と光透過性反射部材とを結ぶ光路上、すなわち、光透過性反射部材よりも手前に設けられる。このため、虚像を表示しない場合、特許文献１のような模様を残すことがなくなり、見栄えを良くし、商品性を高めることが可能となる。
【発明の効果】
【００１６】
本発明によれば、虚像の輪郭又は外縁をぼやけさせる又は不明瞭にすることが可能となる。また、虚像を表示しない場合、虚像の周辺に模様を残すことがなくなり、見栄えを良くし、商品性を高めることが可能となる。
【図面の簡単な説明】
【００１７】
【図１】本発明の一実施形態に係るヘッドアップディスプレイ装置（以下「ＨＵＤ装置」という。）を搭載した車両の概略構成図である。
【図２】前記ＨＵＤ装置を構成するヘッドアップディスプレイ表示器（以下「ＨＵＤ表示器」という。）の分解斜視図である。
【図３】前記ＨＵＤ表示器を使用する際における光路を示す斜視図である。
【図４】印刷シートの外観を示す斜視図である。
【図５】ウィンドシールドにおける虚像及びその周辺の一例を示す図である。
【図６】図６（Ａ）及び図６（Ｂ）は、前記虚像の位置が調整される様子又は光軸ずれが生じた様子を説明する第１図及び第２図である。
【発明を実施するための形態】
【００１８】
Ａ．一実施形態
１．全体的な構成の説明
［１−１．全体構成］
図１は、本発明の一実施形態に係るヘッドアップディスプレイ装置１２（以下「ＨＵＤ装置１２」ともいう。）を搭載した車両１０の概略構成図である。図２は、ＨＵＤ装置１２を構成するヘッドアップディスプレイ表示器１４（以下「ＨＵＤ表示器１４」という。）の分解斜視図である。図３は、ＨＵＤ表示器１４を使用する際における光路２００を示す斜視図である。
【００１９】
図１に示すように、ＨＵＤ装置１２は、ＨＵＤ表示器１４に加え、虚像３００が投影される無色透明のウィンドシールド１６（光透過性反射部材、コンバイナ）を有する。ＨＵＤ表示器１４は、インスツルメントパネル１８（ハウジング）の内部に配置される。また、図１に示すように、ＨＵＤ表示器１４は、筐体２０、光源２２、表示素子２４、平面鏡２６、凹面鏡２８、透光カバー３０及び制御装置３２（図２）を有する。
【００２０】
図２に示すように、筐体２０は、上側部材４０、下側部材４２及び内部部材４４から構成される。光源２２は、可視光を出力するものであり、例えば、冷陰極管である。表示素子２４は、光源２２からの可視光の透過を制御するものであり、例えば、薄膜トランジスタ（ＴＦＴ）型の液晶表示装置（ＬＣＤ）である。表示素子２４は、複数の画素それぞれにおいてオンオフを切り替え、光源２２からの可視光の透過の可否を制御することで、可視光に画像（又は画像情報）を含ませる。以下では、画像を含んだ可視光を画像光２０２という。
【００２１】
光源２２及び表示素子２４は、光源ユニット４８（画像光出射部、画像出力部）として一体的に構成され、筐体２０の内部部材４４に固定される（図２及び図３参照）。光源ユニット４８（表示素子２４）は、画像光２０２を射出又は出力する。本実施形態おける光源ユニット４８における画像光２０２の出口（換言すると、凹面鏡２８よりも光源ユニット４８側の光路２００上）には、虚像３００の輪郭をぼやかす又は不鮮明にするための印刷シート５０が貼り付けられている（図１参照）。印刷シート５０の詳細は、図４等を参照して後述する。
【００２２】
平面鏡２６は、光源２２から出射され表示素子２４を通過した可視光（すなわち、画像光２０２）を凹面鏡２８の方向に反射させるものであり、筐体２０の内部部材４４に固定される。平面鏡２６は、光源ユニット４８（すなわち、光源２２及び表示素子２４）と凹面鏡２８の配置の関係上設けられるものであり、光源ユニット４８（すなわち、光源２２及び表示素子２４）と凹面鏡２８の配置によっては、平面鏡２６を設けないことも可能である。
【００２３】
凹面鏡２８は、ウィンドシールド１６（コンバイナ）に向かって画像光２０２を反射させることで、画像光２０２をユーザ１５０（図１）の前方視野内に虚像３００として表示させる。凹面鏡２８は、凹面鏡ユニット６０の一部を構成する。
【００２４】
凹面鏡ユニット６０は、凹面鏡２８に加え、凹面鏡２８を支持する凹面鏡ホルダ６２と、凹面鏡２８及び凹面鏡ホルダ６２の角度を調整するステッパモータ６４（アクチュエータ）と、凹面鏡２８、凹面鏡ホルダ６２及びステッパモータ６４を支持する凹面鏡プレート６６とを有する。凹面鏡ユニット６０は、凹面鏡プレート６６を介して筐体２０の内部部材４４に固定される。ステッパモータ６４により、凹面鏡２８は光路２００に対して回動可能となる。
【００２５】
透光カバー３０は、凹面鏡２８からの画像光２０２を透過させてウィンドシールド１６に到達させると共に、筐体２０内に埃が入り込むことを防止する。透光カバー３０は、筐体２０の上側部材４０に形成された開口部７０内に（換言すると、インスツルメントパネル１８の出口に）配置される。透光カバー３０は、レンズとして構成してもよい。
【００２６】
制御装置３２は、光源ユニット４８（光源２２及び表示素子２４）並びにステッパモータ６４を介して虚像３００の表示を制御する。
【００２７】
［１−２．印刷シート５０］
図４は、印刷シート５０の外観を示す斜視図である。上記のように、本実施形態の印刷シート５０は、光源ユニット４８における画像光２０２の出口に配置される（図１参照）。後述するように、ウィンドシールド１６より手前のその他の部位（例えば、平面鏡２６、凹面鏡２８又は透光カバー３０）に印刷シート５０を配置することも可能である。
【００２８】
印刷シート５０は、無色透明のフィルム８０（例えば、ポリカーボネート）に印刷層８２を形成したものである。図４に示すように、フィルム８０（以下「透明フィルム８０」ともいう。）は、矩形状であるが、その他の形状（例えば、矩形状を基調としつつ四隅が丸くなった形状）であってもよい。
【００２９】
また、印刷層８２は、例えば、黒セラミックからなる層である。透明フィルム８０を介さずに印刷層８２を形成してもよい。
【００３０】
印刷シート５０は、主として３つの領域に区分される。すなわち、図４に示すように、印刷シート５０は、中央に位置する高透過領域９０と、外側に位置する低透過領域９２と、高透過領域９０及び低透過領域９２の間に配置された中透過領域９４（以下「グラデーション領域９４」ともいう。）とを含む。図４中の楕円形の破線が、高透過領域９０と中透過領域９４の境界線（仮想線）である。また、図４中の平行四辺形の一点鎖線が、低透過領域９２と中透過領域９４の境界線（仮想線）である。これらの領域９０、９２、９４のうち、印刷層８２は、低透過領域９２及び中透過領域９４に形成され、高透過領域９０には形成されない。
【００３１】
高透過領域９０は、虚像３００（図５）の一部に対応する領域であり、最も光り透過率が高い。本実施形態の高透過領域９０は、楕円形であるが、その他の形状（矩形状、円状等）であってもよい。
【００３２】
低透過領域９２は、光透過率が最も低く全体として光透過率が均一である。本実施形態の低透過領域９２は、例えば、黒セラミックを均一に塗装することにより構成される。低透過領域９２は、光路２００の外縁２０４（輪郭）よりも外側の領域である。ここにいう外縁２０４は、画像光２０２のうち虚像３００として表示することが意図された範囲（設計上の範囲）における最も外側の点の集合を意味する。従って、画像光２０２の進行方向に垂直な平面で見た場合、外縁２０４は、四角形を構成する４本の直線となる（図４及び図５参照）。実際上、画像光２０２の一部は、外縁２０４をはみ出る可能性があるが、低透過領域９２により遮蔽される。また、低透過領域９２は、矩形状且つ環状であるが、その他の形状（例えば、楕円形且つ環状を基調とする形状）であってもよい。
【００３３】
中透過領域９４は、光路２００の外縁２０４よりも内側に位置し、高透過領域９０側から低透過領域９２側に向かって徐々に光透過率が下がっていく。すなわち、高透過領域９０側から低透過領域９２側に向かって徐々に黒セラミックの量（密度）が増えていく。また、中透過領域９４における光透過率の分布は、高透過領域９０の形状（本実施形態では楕円状）に沿って徐々に変化していく。
【００３４】
より詳細には、中透過領域９４のうち透明フィルム８０の対角線に沿った部位は、その周辺よりも光透過率が高くなるようにしつつ、全体的に、高透過領域９０側から低透過領域９２側に向かって徐々に光透過率が下がっていく。また、中透過領域９４の中でも、高透過領域９０近傍については、高透過領域９０と同じ楕円形状で光透過率を均一にした特性を加えている（後述する図５参照）。
【００３５】
これらの結果、中透過領域９４では、全体として、高透過領域９０側から低透過領域９２側に向かって徐々に光透過率が下がっていくが、高透過領域９０の近傍は、高透過領域９０の形状と相似又は近似した光透過率の分布を有する。加えて、透明フィルム８０の対角線に沿った部位は、その周辺よりも光透過率が高くなる。これらにより、虚像３００（図５等）の見栄えをよくすることが可能となる。
【００３６】
以上のように、印刷シート５０には、高透過領域９０、低透過領域９２及び中透過領域９４が形成される。これにより、印刷シート５０では、中央に向かうほど光透過率が高く構成される。
【００３７】
２．虚像３００の表示
［２−１．虚像３００の表示自体］
次に、印刷シート５０を用いた場合の虚像３００及びその周辺について説明する。
【００３８】
（２−１−１．虚像３００を構成する複数の領域）
図５は、ウィンドシールド１６における虚像３００及びその周辺の一例を示す図である。図４では印刷シート５０が示されているのに対し、図５ではウィンドシールド１６における虚像３００及びその周辺が示されている。このため、図４と図５とでは、濃淡が反対となっていることに留意されたい。なお、図５における虚像３００の外側の白色領域は、ユーザがウィンドシールド１６越しに見る景色が来ることとなる。
【００３９】
上記のように、印刷シート５０は、主として３つの領域、すなわち、高透過領域９０、低透過領域９２及び中透過領域９４（グラデーション領域９４）を含む。これに対応して、ウィンドシールド１６には、表示領域１００、背景領域１０２及びぼかし領域１０４（以下「グラデーション領域１０４」ともいう。）が形成される。図５中の楕円形の破線が、表示領域１００とぼかし領域１０４の境界線（仮想線）である。また、図５中の長方形の一点鎖線が、背景領域１０２とぼかし領域１０４の境界線（仮想線）である。これらの領域１００、１０２、１０４のうち虚像３００が表示されるのは、表示領域１００及びぼかし領域１０４であり、背景領域１０２には虚像３００が表示されない（詳細は以下に述べる。）。
【００４０】
（２−１−２．表示領域１００）
表示領域１００は、印刷シート５０の高透過領域９０に対応する。表示領域１００では、凹面鏡２８からの画像光２０２が、印刷層８２による光量の低下を伴わずに（すなわち、減衰なしに）ウィンドシールド１６（コンバイナ）に到達する。このため、印刷層８２の影響なしに所望の虚像３００を形成することが可能となる。
【００４１】
なお、図５に示す虚像３００は、背景部１１０と、実際に伝える情報（ここでは、時速を示す文字）からなる情報表示部１１２とからなる。背景部１１０の色は、例えば、外の景色とのコントラストが高い色（例えば、黒色）とする。また、情報表示部１１２の色は、背景部１１０と異なる色、特に、背景部１１０の色とコントラストが大きい色（白色、黄色等）とする。
【００４２】
（２−１−３．背景領域１０２）
背景領域１０２は、印刷シート５０の低透過領域９２に対応する。低透過領域９２では、凹面鏡２８からの画像光２０２が遮られる。このため、凹面鏡２８からの画像光２０２は、ウィンドシールド１６に到達しない。従って、ウィンドシールド１６の背景領域１０２では、ウィンドシールド１６越しに見える外の景色をそのままユーザが見ることができる。換言すると、ユーザは、背景領域１０２及びその外側の領域において同じ外の景色を見ることができる。
【００４３】
（２−１−４．ぼかし領域１０４）
ぼかし領域１０４は、印刷シート５０の中透過領域９４に対応する。中透過領域９４では、凹面鏡２８からの画像光２０２が、印刷層８２により光量が低下されて（すなわち、減衰されて）ウィンドシールド１６に到達する。このため、凹面鏡２８からの画像光２０２のうちウィンドシールド１６に到達するものの量は、表示領域１００よりは少なく、背景領域１０２よりは多くすることが可能となる。その結果、ぼかし領域１０４では、虚像３００が表示されるが、その輝度又は明度は表示領域１００よりも低下する。
【００４４】
また、本実施形態では、ぼかし領域１０４に対応させる画像は、表示領域１００に表示する画像のうち背景部１１０の色と同一とする。このため、表示領域１００の背景部１１０からぼかし領域１０４にかけて徐々に背景がぼやけていく又は不鮮明になっていく。なお、ぼかし領域１０４に対応させる画像は、背景部１１０と異なる色又は輝度若しくは明度（例えば、背景部１１０よりも輝度又は明度が高い色）としてもよい。
【００４５】
［２−２．虚像３００の表示位置の調整］
上記のように、本実施形態では、凹面鏡ユニット６０のステッパモータ６４により凹面鏡２８の角度を調整して、虚像３００の位置を変化させることができる。また、筐体２０、光源２２、表示素子２４、平面鏡２６、凹面鏡２８及び透光カバー３０のいずれか１つ又は複数が設計上の基準位置よりもずれた位置に配置されることで、光軸ずれが生じる可能性もある。
【００４６】
図６（Ａ）及び図６（Ｂ）は、虚像３００の位置が調整される様子又は光軸ずれが生じた様子を説明する第１図及び第２図である。図６（Ａ）及び図６（Ｂ）において二点鎖線で囲まれた領域１２０（以下「表示制御領域１２０」という。）は、虚像３００が移動可能な範囲として制御装置３２が用いる領域である。
【００４７】
ステッパモータ６４を制御することにより、図６（Ａ）及び図６（Ｂ）に示すように、虚像３００の位置が垂直方向（鉛直方向）に変化する。本実施形態では、印刷シート５０を光源ユニット４８における画像光２０２の出口（換言すると、光路２００のうち凹面鏡２８よりも手前の部分（より具体的には、光路２００のうち光源２２又は表示素子２４から真っ直ぐ伸びる部分））に配置する。このため、虚像３００の位置を変化させても、ウィンドシールド１６におけるぼかし領域１０４を表示領域１００に追従させることが可能となる。
【００４８】
３．本実施形態の効果
以上説明したように、本実施形態によれば、中央に向かうほど光透過率が高く構成される印刷シート５０（透光層）を、光源ユニット４８からの画像光２０２の光路２００上に設ける。このため、虚像３００の輪郭又は外縁領域をぼやけさせる又は不明瞭にすることが可能となる。また、印刷シート５０はインスツルメントパネル１８（ハウジング）の内部に設けられる（図１参照）。このため、虚像３００を表示しない場合、虚像３００の周辺に模様（例えば、特許文献１の縦縞模様部２１）を残すことがなくなり、見栄えを良くし、商品性を高めることが可能となる。
【００４９】
別の観点から言うと、本実施形態によれば、虚像３００の外縁に向かうに連れて光透過率が段階的に低下する印刷層８２（光減衰部）を有する。このため、虚像３００の輪郭又は外縁領域をぼやけさせる又は不明瞭にすることが可能となる。また、印刷シート５０（光透過部材）は、光源ユニット４８（画像光出力部）とウィンドシールド１６（光透過性反射部材）とを結ぶ光路２００上、すなわち、ウィンドシールド１６よりも手前に設けられる。このため、虚像３００を表示しない場合、虚像３００の周辺に模様（例えば、特許文献１の縦縞模様部２１）を残すことがなくなり、見栄えを良くし、商品性を高めることが可能となる。
【００５０】
本実施形態において、印刷シート５０（透光層）は、光源ユニット４８（画像光出射部）における画像光２０２の出口に設けられる（図１参照）。これにより、印刷シート５０の配置の自由度を増すことが可能となる。加えて、印刷シート５０の位置が光源２２から比較的近くなるため、印刷シート５０を例えば透光カバー３０に設ける場合と比較して、画像光２０２（虚像３００）と印刷シート５０の位置関係の調整が容易となる。さらに複数のＨＵＤ装置１２を製造するに際し、画像光２０２と印刷シート５０の位置関係のばらつきを少なくすることが可能となる。
【００５１】
Ｂ．変形例
なお、本発明は、上記実施形態に限らず、本明細書の記載内容に基づき、種々の構成を採り得ることはもちろんである。例えば、以下の構成を採用することができる。
【００５２】
１．適用対象
上記実施形態では、ＨＵＤ装置１２を車両１０に適用したが、これに限らず、別の対象に適用してもよい。例えば、ＨＵＤ装置１２を船舶や航空機等の移動体に用いることもできる。或いは、ＨＵＤ装置１２を、ロボット、製造装置又は家電製品に適用してもよい。これらの場合、必ずしもＨＵＤ表示器１４をインスツルメントパネル１８（ハウジング）内に配置しなくてもよい。
【００５３】
２．ＨＵＤ装置１２
［２−１．全体構成］
上記実施形態では、ＨＵＤ装置１２は、ウィンドシールド１６に投影するタイプ（ウィンドシールド投影型）であったが、それ以外の光透過性反射部材（コンバイナ）を用いてもよい。
【００５４】
上記実施形態では、ＨＵＤ装置１２（ＨＵＤ表示器１４）は、光源ユニット４８（光源２２及び表示素子２４）、平面鏡２６、凹面鏡２８並びに透光カバー３０を有したが、例えば、ウィンドシールド１６（コンバイナ）より手前に印刷シート５０（透光層、光透過部材）を配置する観点からすれば、これに限らない。例えば、平面鏡２６、凹面鏡２８又は透光カバー３０のいずれかを省略することも可能である。
【００５５】
［２−２．印刷シート５０（透光層、光透過部材）］
上記実施形態では、印刷シート５０を光源ユニット４８における画像光２０２の出口に設けたが（図１）、例えば、ウィンドシールド１６（コンバイナ）と光源２２との間に印刷シート５０を配置する観点からすれば、印刷シート５０の配置はこれに限らない。
【００５６】
例えば、平面鏡２６、凹面鏡２８又は透光カバー３０に印刷シート５０を貼付してもよい。或いは、光源ユニット４８の内部（光源２２又は表示素子２４）に印刷シート５０を形成することも可能である。これらの選択肢を可能とすることにより、印刷シート５０又は印刷層８２の配置の自由度を増すことが可能となる。
【００５７】
また、例えば、平面鏡２６若しくは凹面鏡２８又は光源ユニット４８の内部に印刷シート５０を貼付又は形成する場合、ステッパモータ６４により凹面鏡２８の角度が変化しても、上記実施形態と同様、画像光２０２と印刷シート５０の位置関係（又は表示領域１００とぼかし領域１０４の位置関係）を保持することが可能となる。さらに、透光カバー３０に印刷シート５０を貼付する場合、透光カバー３０は、筐体２０において比較的外側に配置されるため、光透過率の調整を簡易に行うことが可能となる。
【００５８】
上記実施形態では、印刷シート５０を用いて印刷層８２を配置したが、例えば、印刷層８２を形成する観点からすれば、これに限らない。例えば、透明フィルム８０を用いずに対象部品（光源ユニット４８、平面鏡２６、凹面鏡２８又は透光カバー３０）に直接印刷シート５０を印刷又は形成してもよい。
【００５９】
上記実施形態では、印刷層８２（低透過領域９２及び中透過領域９４）として黒セラミックからなる層を用いたが、これに限らず、その他の物質で印刷層８２を用いてもよい。この際、低透過領域９２及び中透過領域９４の光透過率を調整する方法としては、例えば、光を全く通さない光不透過性物質のドットの分布を変化させる方法や、光量を低下させて光を透過させる半透過性物質の濃度分布を変化させる方法を用いることができる。また、低透過領域９２及び中透過領域９４を形成する観点からすれば、その形成方法は、印刷に限らない。例えば、レーザの照射による変色を用いることもできる。
【００６０】
上記実施形態では、印刷シート５０を１枚のみ又は印刷層８２を１つのみ設けたが、たとえば、ぼかし領域１０４を形成する観点からすれば、異なる場所又は同じ場所において印刷シート５０又は印刷層８２を複数設けてもよい。例えば、光源ユニット４８における画像光２０２の出口と透光カバー３０の両方に印刷シート５０又は印刷層８２を設けてもよい。
【００６１】
［２−３．その他］
上記実施形態では、ステッパモータ６４を用いて凹面鏡２８を回動自在としたが、例えば、ウィンドシールド１６（コンバイナ）と光源２２との間に印刷シート５０を配置する観点からすれば、凹面鏡２８は固定してもよい。
【符号の説明】
【００６２】
１０…車両                              １２…ＨＵＤ装置
１６…ウィンドシールド（光透過性反射部材）
１８…インスツルメントパネル（ハウジング）
２８…凹面鏡（鏡）                      ３０…透光カバー
４８…光源ユニット（画像光出射部、画像光出力部）
５０…印刷シート（透光層、光透過部材）  ８２…印刷層
９０…高透過領域                        ９２…低透過領域
９４…中透過領域（光減衰部）            ２００…光路
２０２…画像光                          ３００…虚像
【図１】
2014174416.tif 000003
【図２】
2014174416.tif 000004
【図３】
2014174416.tif 000005
【図４】
2014174416.tif 000006
【図５】
2014174416.tif 000007
【図６】
2014174416.tif 000008